(57)【要約】【課題】  支持軸に強固に取付けながらも能率良く容易に着脱することができ、しかも、製造コストの面においても優れ、また、架設された長尺物の脱落を防止する線状部材を支持具に保持させてある長尺体支持具を提供する。【解決手段】  長尺体Ｐを架設するための受止め部１を備えた支持具本体２に、受止め部１に架設した長尺体Ｐが受止め部１から脱落することを防止するための可撓性の線状部材９を着脱自在に保持するための保持手段５ａを設ける。【選択図】        図１
2005273859.tif 000002
【特許請求の範囲】
【請求項１】
長尺体を架設するための受止め部を備えた支持具本体に、受止め部に架設した長尺体が受止め部から脱落することを防止するための可撓性の線状部材を着脱自在に保持するための保持手段が設けられている長尺体支持具。
【請求項２】
前記線状部材が、多数の係止溝を形成してあるベルト部と、ベルト部が挿入可能な貫通孔及び挿通されたベルト部の係止溝に対して選択的に係合する係止片を備えた係止部とから構成されているとともに、
前記受止め部を備えた支持具本体の背面で、固定された上下姿勢の支持軸の外径よりも大なる間隔を置いた上下二箇所に、支持軸に対し左右方向の一側方から係脱自在な上側係合部と、支持軸に対して左右方向の他側方から係脱自在な下側係合部とが形成され、
前記下側係合部に、保持手段として線状部材の係止部を掛止保持する掛止溝が形成されてある請求項１記載の長尺体支持具。
【請求項３】
前記保持手段が、受止め部の側縁部に沿って形成された保持部により線状部材を受止め部に沿って挟持保持するように構成されている請求項１又は２記載の長尺体支持具。
【発明の詳細な説明】
【技術分野】
【０００１】
本発明は、躯体等に固定された吊りボルトなどの上下姿勢の支持軸に、空調配管やケーブル等の長尺物を架設する場合に用いられる長尺体支持具に関する。
【背景技術】
【０００２】
従来の長尺体支持具では、図８に示すように、長尺体を架設するための受止め部５０を備えた支持具本体５１の背面の上下二箇所に、躯体等に固定された上下姿勢の支持軸の一例である吊りボルト３に対して前後方向の後方側から着脱自在に弾性挾持保持可能な略半筒状の第１挾持部５２と、吊りボルト３に対して前後方向の前方側から着脱自在に弾性挾持保持可能な略半筒状の第２挾持部５３とが一体形成されているとともに、受止め部５０の先端に、支持具本体５１の係合突起と係合して、長尺体の受止め部５０からの脱落を防止する揺動開閉自在の脱落防止部５４が設けられていた（例えば、特許文献１参照。）。
【特許文献１】特開平８−１２１６５６号公報
【発明の開示】
【発明が解決しようとする課題】
【０００３】
しかしながら、従来の長尺体支持具では、受止め部の先端に揺動開閉自在に取り付けられ、支持具本体と係合する脱落防止部により、受止め部に架設された長尺体が受止め部から脱落することを確実に防止することができるものの、脱落防止部や揺動開閉自在にするための揺動回転軸部材を必要とするほか、その脱落防止部を受止め部の先端に軸部材を介して組み付ける工程を必要とするため、製造コストが高騰化していた。
【０００４】
そこで、この種の長尺体支持具として、図９に示すような、長尺体Ｐを架設するための受止め部６１を表面側に備えた支持具本体６２の背面側に、固定された上下姿勢のネジ軸３に対して係脱自在な係合部６３が形成され、別途用意した長尺体脱落防止用の線状部材６４を受止め部６１の先端に形成されているリング部６５に挿通させ、支持具本体６２を囲う形態で締め付けて長尺体Ｐが受止め部６１から脱落することを防止する構成にしたものが開発されたが、長尺体支持具の取付け現場に線状部材６４を持参することを忘れたり線状部材６４を喪失したりすることが多発する問題があった。
【０００５】
この実情に鑑み、本発明の主たる課題は、合理的な改良をもって上記問題を効果的に解消する点にある。
【課題を解決するための手段】
【０００６】
本発明の長尺体支持具による第１の特徴構成は、長尺体を架設するための受止め部を備えた支持具本体に、受止め部に架設した長尺体が受止め部から脱落することを防止するための可撓性の線状部材を着脱自在に保持するための保持手段が設けられている点にある。
【０００７】
上記特徴構成によれば、従来の長尺体支持具のように、受止め部の先端に、長尺体が受止め部から脱落しないように揺動開閉自在の脱落防止部を設けずに、安価な線状部材で長尺体の受止め部からの脱落防止をするので、脱落防止部及び揺動回転軸部材を製造する必要がなく、また、それらを受止め部先端に取り付ける工程も省くことができ、製造コストの面で有利にすることができる。
【０００８】
そして、支持具本体に設けられた保持手段により、長尺体の受止め部からの脱落を防止する線状部材を着脱自在に保持することができるので、線状部材を取付け前に失ったり、長尺体支持具の取付け現場に線状部材を持参することを忘れたりすることを効果的に防止することができる。
【０００９】
本発明の長尺体支持具による第２の特徴構成は、前記線状部材が、多数の係止溝を形成してあるベルト部と、ベルト部が挿入可能な貫通孔及び挿通されたベルト部の係止溝に対して選択的に係合する係止片を備えた係止部とから構成されているとともに、
前記受止め部を備えた支持具本体の背面で、固定された上下姿勢の支持軸の外径よりも大なる間隔を置いた上下二箇所に、支持軸に対し左右方向の一側方から係脱自在な上側係合部と、支持軸に対して左右方向の他側方から係脱自在な下側係合部とが形成され、
前記下側係合部に、保持手段として線状部材の係止部を掛止保持する掛止溝が形成されてある点にある。
【００１０】
上記特徴構成によれば、下側係合部に保持手段である掛止溝を形成することで、線状部材の係止部を引掛けるように掛止することができ、線状部材を支持本体に保持させることができるとともに、下側係合部と上下方向において重合する位置に形成されている上側係合部により、線状部材の係止部が上方側へ移動して掛止溝から抜け出すことを規制することができる。
【００１１】
本発明の長尺体支持具による第３の特徴構成は、前記保持手段が、受止め部の側縁部に沿って形成された保持部により線状部材を受止め部に沿って挟持保持するように構成されている点にある。
【００１２】
上記特徴構成によれば、長さのある線状部材を受止め部の側縁部に沿って保持することができるので、全体的に線状部材をコンパクトにして保持することができるとともに、その保持部によって挟持された状態で保持されるので、多少の衝撃や外力がかかっても線状部材の保持状態が解除されることなく、線状部材が支持具本体から離脱することを効果的に防止することができる。
【発明を実施するための最良の形態】
【００１３】
〔第１実施形態〕
図１〜図４は、長尺体の一例である空調用配管Ｐを架設する合成樹脂製の支持具を示し、板状の支持具本体２の表面側には、二本の空調用配管Ｐを架設するための受止め部１が一体的に形成され、支持具本体２の背面上半側の上下二箇所には、躯体等に固定された上下姿勢の支持軸の一例である吊りボルト３に対して左右方向の一側方から係脱自在な板状の上側係合部４と、吊りボルト３に対して左右方向の他側方から係脱自在な板状の下側係合部５とが、吊りボルト３の外径よりも大なる間隔を置いて水平姿勢で一体的に突出形成されているとともに、支持具本体２の背面の下半側には、吊りボルト３に対して前後方向の前方側から着脱自在に弾性的に挾持保持可能な略半筒状の挾持部６が一体的に突出形成され、この挾持部６の内周面には、吊りボルト３の雄ネジ部に対して螺合操作自在に係合する部分雌ネジ状の係止部７が形成されている。
【００１４】
また、前記受止め部１、支持具本体２、第１係合部４、第２係合部５、半筒状挟持部８がナイロン等の合成樹脂で一体形成されているとともに、上側係合部４と下側係合部５との上下隣接間には、吊りボルト３が入り込み自在な着脱用凹部８が水平方向に沿って形成されている。
【００１５】
そして、受止め部１に掛け止められた二本の空調用配管Ｐは可撓性の線状部材である結束バンド９により、受止め部１から脱落しないように保持されている。
【００１６】
結束バンド９は、多数の係止溝９ａを形成してあるベルト部９Ａと、ベルト部９Ａが挿入可能な貫通孔９ｂ及び挿通されたベルト部９Ａの係止溝９ａに対して選択的に係合する係止片９ｃを備えた係止部９Ｂとから構成されているとともに、結束バンド９は、Ｕ字状掛止板部１Ａの外側板部分１ｂの上端に一体形成された筒状のリング部１０と、このリング部１０に挿通させ、支持具本体２と吊りボルト３とを緊縛するようにベルト部９Ａの係止溝９ａと係止部９Ｂの貫通孔９ｂ内に設けられた係止片９ｃとを係合させて締め付け、空調用配管Ｐの受止め部１からの脱落を防止する。
【００１７】
下側係合部５の基端部（すなわち、下側係合部５と支持具本体２との境界部分）には、結束バンド９の係止部９Ｂを掛止保持する掛止溝５ａが形成されており、この掛止溝５ａに結束バンド９の係止部９Ｂを引掛けるように掛止させて、使用前の結束バンド９を支持具に保持させる構成になっている。
【００１８】
前記受止め部１は、支持具本体２の下端部に連設された配管軸芯方向視において略Ｕ字状に湾曲形成された掛止板部１Ａから構成され、このＵ字状掛止板部１Ａの配管載置部分１ａにおける配管軸芯方向での幅が、それの先端側に連続する外側板部分１ｂの幅及び基端側に連続する支持具本体２の幅よりも大に構成されているとともに、その略Ｕ字状に湾曲形成された掛止板部１Ａの側縁部に、結束バンド９のベルト部９Ａの中間部分を挟持保持する第１保持部１１ａと、ベルト部９Ａを掛止板部１Ａの形状に沿うように案内する案内突起部１２と、ベルト部９Ａの遊端部分を挟持保持する第２保持部１１ｂとが一体的に突出形成されており、使用前の結束バンド９は、その係止部９Ｂを掛止溝５ａに引掛けるように掛止し、ベルト部９Ａの中間部分を第１保持部１１ａに挟持保持させ、案内突起部１２を介してベルト部９Ａの遊端部分を第２保持部１１ｂで保持することで、結束バンド９をコンパクトにして収納保持することができ、また、それら第１及び第２保持部１１ａ，１１ｂによって挟持された状態で保持することで、多少の衝撃や外力がかかっても結束バンド９の保持状態が解除されることなく、支持具本体２から離脱することを防止することができる。
【００１９】
前記上側係合部４は、それの先端部分を支持具本体２に向かって延出した平面視略しの字状の第１係合板片４Ａから構成され、それの先端と支持具本体２の背面との対向面間には、吊りボルト３に対する係脱操作用として左右方向の一側方に開口する第１開口４Ｂが形成されているとともに、第１係合板片４Ａで囲まれた第１開口４Ｂに連通する第１係合孔４Ｃが、平面視において略Ｌ字状に形成されている。
【００２０】
また、第１係合板片４のうち、配管軸芯方向に対して直交する方向で吊りボルト３の軸芯を通る中心線よりも先端側に位置する係合板部分４ｂが、それよりも基端側に位置する係合板部分４ａに対して型抜きのために板厚分だけ上方側に屈曲形成されている。
【００２１】
前記下側係合部５は、それの先端部分を左右方向の他側方に向かって延出した平面視略コの字状の第２係合板片５Ａから構成され、この第２係合板片５Ａには、吊りボルト３に対する係脱操作用として左右方向の他側方に開口する第２開口５Ｂと、これに連通する直線状の第２係合孔５Ｃと、使用前の結束バンド９の係止部９Ｂを掛止保持する掛止溝５ａが形成されている。
【００２２】
前記半筒状挾持部６は、支持具本体２の背面に連設された取付け板片６Ａと、これの先端に吊りボルト３の軸芯と同芯状態で連設された拡径側に弾性変形可能な半ネジ筒６Ｂとから構成されているとともに、支持具本体２の背面と取付け板片６Ａの左右両側面とに亘って左右一対の三角形状の補強板部６Ｃが一体形成されている。
【００２３】
また、前記支持具本体２の背面には、半筒状挾持部６の取付け板片６Ａに連続する補強リブ２Ａが一体形成されているとともに、半筒状挾持部６の半ネジ筒６Ｂが吊りボルト３に弾性力で外嵌挾持された状態では、第１係合板片４の第１係合孔４Ｃに臨む後方側周面部分と、第２係合板片５Ａの第２係合孔５Ｃに臨む前方側周面部分とが近接位置して、吊りボルト３に対する前後方向の移動が規制されている。
【００２４】
更に、半筒状挾持部６の半ネジ筒６Ｂが吊りボルト３に弾性力で外嵌挾持された状態では、第１係合板片４の第１係合孔４Ｃに臨む左右両側の周面部分と、第２係合板片５Ａの第２係合孔５Ｃに臨む左右一側の周面部分とが近接位置して、吊りボルト３に対する左右方向の移動が規制されている。
【００２５】
前記上側係合部４の第１開口４Ｂは、下側係合部５の第２開口５Ｂよりも支持具本体２側に偏位した部位に形成されていて、上側係合部４の第１係合孔４Ｃ及び下側係合部５の第２係合孔５Ｃが吊りボルト３に係合された傾斜姿勢では、図４に示すように、半ネジ筒６Ｂの開口６ａが吊りボルト３に対して嵌合操作可能な位置で相対向するように構成されている。
【００２６】
そして、上述の如く構成された長尺体支持具を吊りボルト３に取付ける場合、図４に示すように、支持具本体２の背面の上半側に形成された上側係合部４及び下側係合部５が吊りボルト３に沿うように、換言すれば、両係合部４，５の隣接間に形成された着脱用凹部８が上下方向に沿うように、支持具全体を横向き姿勢にして、両係合部４，５の隣接間に形成された着脱用凹部８内に吊りボルト３を入り込み位置させ、この状態で支持具全体を矢印方向に回動操作させると、上側係合部４の第１係合孔４Ｃ及び下側係合部５の第２係合孔５Ｃが吊りボルト３に係合される。
【００２７】
次に、図４に示すように、吊りボルト３と当接する下側係合部５の第２係合孔５Ｃの周縁を支点として支持具本体２の背面の下半側に形成された半筒状挾持部６の半ネジ筒６Ｂを吊りボルト３の雄ネジ部に押し込むと、半ネジ筒６Ｂの開口６ａが拡径側に弾性変形されながら吊りボルト３に外嵌挾持されると同時に、半ネジ筒６Ｂの内周面に形成された部分雌ネジ状の係止部７が吊りボルト３の雄ネジ部（谷部）に係合するから、吊りボルト３に対して支持具を強固に取付けながらも回転・押込みといった簡便な一連の操作で効率良く取付けることができる。
【００２８】
しかも、図４に示すように、下側係合部５の第２係合孔５Ｃの周縁における下端側角部が吊りボルト３の雄ネジ部に係合状態で当接し、かつ、半筒状挾持部６の半ネジ筒６Ｂにおける開口６ａ側上端縁が吊りボルト３の雄ネジ部に係合状態で当接する仮止め状態では、両係合部４，５の係合板片４Ａ，５Ａによって左右方向の移動が規制され、かつ、吊りボルト３に対する傾斜角度が大きくなるため、吊りボルト３の雄ネジ部に対して下側係合部５の下端側角部及び半ネジ筒６Ｂの開口６ａ側上縁が引っ掛かり易くなり、振動等の外力が作用しても、支持具を仮止め位置に保持することができる。
【００２９】
前記吊りボルト３に対する支持具の取付け位置を微調整する場合には、吊りボルト３に対して支持具を回転操作して上下方向に螺進させ、また、吊りボルト３に対する支持具の取付け位置を大きく変更する場合には、半筒状挾持部６の半ネジ筒６Ｂを吊りボルト３の雄ネジ部から嵌合離脱させ、かつ、上側係合部４の第１係合孔４Ｃ及び下側係合部５の第２係合孔５Ｃを吊りボルト３に係合させたまま吊りボルト３に沿って上下方向に移動させ、変更取付け位置で半筒状挾持部６の半ネジ筒６Ｂを吊りボルト３の雄ネジ部に押込み操作して嵌合挾持させる。
【００３０】
そして、支持具に着脱自在で保持されている結束バンド９を支持具から取り外し、結束バンド９のベルト部９ＡをＵ字状掛止板部１Ａの上端に一体形成されたリング部１０に挿通させ、支持具本体２と吊りボルト３とを緊縛する姿勢で、結束バンド９を締め付けることで、空調用配管Ｐの脱落を防止することができる。
【００３１】
〔第２実施形態〕
図６は、第１実施形態で説明した合成樹脂製の長尺体支持具の別実施形態を示し、下側係合部５の基端部に形成されている掛止溝５ａの開口部分に、掛止溝５ａに掛止保持されている線状部材である結束バンド９の係止部９Ｂが掛止溝５ａから抜け落ちないように掛止溝５ａの開口を狭幅する突起部１３が突出形成されている。
尚、その他の構成は、第１実施形態で説明した構成と同一であるから、同一の構成箇所には、第１実施形態と同一の番号を付記してそれの説明は省略する。
【００３２】
〔第３実施形態〕
図７は、第１実施形態で説明した合成樹脂製の長尺体支持具の別実施形態を示し、受止め部１の略Ｕ字状に湾曲形成された掛止板部１Ａの側縁部に一体的に突出形成されている結束バンド９のベルト部９Ａの中間部分を挟持保持するための第１保持部１４ａと、ベルト部９Ａの遊端部分を挟持保持するための第２保持部１４ｂとのそれぞれが、その先端に球状部を備えた球頭ピン形状に形成されていて、使用前の結束バンド９の係止部９Ｂを掛止溝５ａに引掛けるように掛止し、ベルト部９Ａの中間部分を第１保持部１４ａに挟持保持させ、案内突起部１２を介してベルト部９Ａの遊端部分を第２保持部１４ｂで保持することで、結束バンド９をコンパクトにして収納保持することができ、また、それら第１及び第２保持部１４ａ，１４ｂの球状部により結束バンド９のベルト部９Ａを強く挟持保持することができるので、多少の衝撃や外力がかかっても結束バンド９の保持状態が解除されることなく、確実に支持具本体２から離脱することを防止することができる。
尚、その他の構成は、第１実施形態で説明した構成と同一であるから、同一の構成箇所には、第１実施形態と同一の番号を付記してそれの説明は省略する。
〔その他の実施形態〕
（１）上述の第１〜第３実施形態では、下側係合部５の基端部に掛止溝５ａを形成し、その掛止溝５ａに線状部材９の係合部９Ｂを掛止させて保持するように保持手段を構成したが、保持手段の構造はこれに限るものではなく、支持具本体２の側縁部に線状部材９を保持する突起部を形成するなど、着脱自在に線状部材９を保持できるものであれば、如何なる構造に構成してもよい。
【００３３】
（２）また、第２実施形態では、掛止溝５ａの開口部分に突起部１３を一体的に突出形成して、掛止溝５ａの開口幅を狭幅する構成にしたが、掛止溝５ａの形状はこれに限るものではなく、掛止溝５ａの開口幅を掛止溝５ａの奥部幅よりも狭くして掛止した線状部材９の係止部９Ｂが抜け落ちることを防止する構成であれば種々の構造を採用してもよい。
【００３４】
（３）上述の第１〜第３実施形態では、線状部材９を受止め部１に沿って挟持保持する保持部として、支持具本体２の側縁部に第１保持部１１ａ．１４ａ及び第２保持部１１ｂ，１４ｂの２つを設けてあったが、保持部の数は如何なる数であってもよく、また、支持具本体２の側縁部に沿って一連状に形成されてもよい。
【図面の簡単な説明】
【００３５】
【図１】本発明の長尺体支持具の第１実施形態を示す取付け前の斜視図
【図２】取付け後の長尺体支持具の側面図
【図３】図２のＩＩＩ−ＩＩＩ線断面図
【図４】図２のＩＶ−ＩＶ線断面図
【図５】取付け操作を示す斜視図
【図６】本発明の長尺体支持具の第２実施形態を示す断面図
【図７】本発明の長尺体支持具の第３実施形態を示す断面図
【図８】従来の長尺体支持具を示す断面側面図
【図９】他の従来の長尺体支持具を示す斜視図
【符号の説明】
【００３６】
Ｄ        外径
Ｈ        隣接間隔
Ｐ        長尺体
１        受止め部
２        支持具本体
３        支持軸
４        上側係合部
５        下側係合部
５ａ      保持手段
６        挾持部
７        係止部
９        線状部材
９Ａ      ベルト部
９Ｂ      係合部
９ａ      係止溝
９ｂ      貫通孔
９ｃ      係止片
１１ａ    保持部
１１ｂ    保持部
１４ａ    保持部
１４ｂ    保持部
【図１】
2005273859.tif 000003
【図２】
2005273859.tif 000004
【図３】
2005273859.tif 000005
【図４】
2005273859.tif 000006
【図５】
2005273859.tif 000007
【図６】
2005273859.tif 000008
【図７】
2005273859.tif 000009
【図８】
2005273859.tif 000010
【図９】
2005273859.tif 000011